(57)【特許請求の範囲】
【請求項１】
ケースと、
前記ケースにスライドして挿入される表示装置と、
前記表示装置を前記ケースにスライド挿入したときに出現した、前記表示装置の縁と前記ケースの縁との間にできた空間に搭載されるストッパと、
前記ストッパの内部に配置される電子部品と、
を備えることを特徴とする電子機器。
【請求項２】
前記電子部品は、光を感知するセンサを備え、
前記ストッパは遮光性を備えることを特徴とする請求項１に記載の電子機器。
【請求項３】
前記電子部品は、磁気を発するマグネットを備えることを特徴とする請求項１に記載の電子機器。
【発明の詳細な説明】
【技術分野】
【０００１】
この発明は、電子機器に関する。
【背景技術】
【０００２】
図１０は、従来の電子機器を示す断面図である。図１０に示すように、従来の電子機器は、製造段階において、液晶表示モジュール１を撓ませて、ケース２の縁から内向きに突出する抜け止め用の爪３の下に液晶表示モジュール１の縁を潜り込ませるようにして、ケース２に液晶表示モジュール１を嵌めるようになっている。
【０００３】
しかし、液晶表示モジュールを撓ませたときに液晶表示モジュールが割れてしまうことがある。そこで、ケースに液晶表示モジュールを撓ませずに取り付けることができるようにされた電子機器がある。例えば、ケースに液晶表示モジュールをスライドさせて取り付けるようにした電子機器がある。
【先行技術文献】
【特許文献】
【０００４】
【特許文献１】特開２００７−２０８３３８号公報
【発明の概要】
【発明が解決しようとする課題】
【０００５】
しかしながら、従来の電子機器では、スライドさせて取り付けた液晶表示モジュールが後戻りしてケースから外れてしまうのを防ぐためのストッパが必要となる。そのため、ストッパを設ける分、電子機器が大型化してしまうという問題点がある。
【０００６】
小型化を図ることができる電子機器を提供することを目的とする。
【課題を解決するための手段】
【０００７】
上述した課題を解決し、目的を達成するため、開示技術の電子機器は、ケースと、前記ケースにスライドして挿入される表示装置と、前記表示装置を前記ケースにスライド挿入したときに出現した、前記表示装置の縁と前記ケースの縁との間にできた空間に搭載されるストッパと、前記ストッパの内部に配置される電子部品と、を備える。
【発明の効果】
【０００８】
この電子機器によれば、小型化を図ることができる。
【図面の簡単な説明】
【０００９】
【図１】図１は、実施例にかかる電子機器を示す正面図である。
【図２】図２は、実施例にかかる電子機器を示す斜視図である。
【図３】図３は、図１の切断線Ａ−Ａ’における要部断面図である。
【図４】図４は、図１の切断線Ｂ−Ｂ’における要部断面図である。
【図５】図５は、実施例にかかる電子機器の組み立て途中の状態を示す斜視図である。
【図６】図６は、実施例にかかる電子機器の組み立て途中の状態を示す斜視図である。
【図７】図７は、実施例にかかる電子機器の組み立て途中の状態を示す斜視図である。
【図８】図８は、実施例にかかる電子機器の組み立て途中の状態を示す斜視図である。
【図９】図９は、実施例にかかる電子機器の組み立て途中の状態を示す斜視図である。
【図１０】図１０は、従来の電子機器を示す断面図である。
【発明を実施するための形態】
【００１０】
以下に添付図面を参照して、この電子機器の好適な実施の形態を詳細に説明する。電子機器は、ケースにスライドして挿入された表示装置の縁とケースの縁との間にできた空間をストッパで埋め、ストッパ内部の空間に電子部品を配置するようにしたものである。以下の各実施例の説明においては、同様の構成要素には同一の符号を付して、重複する説明を省略する。
【００１１】
（実施例１）
図１は、実施例にかかる電子機器を示す正面図である。図１に示すように、電子機器１
１は、ケース１２、表示装置１３、ストッパ１４及び電子部品１５を備えている。ケース
１２は、表示装置１３を保持する。表示装置１３は、ケース１２に挿入される。ストッパ
１４は、ケース１２にスライドして挿入された表示装置１３の縁とケース１２の縁との間
にできた空間を埋める。ストッパ１４が設けられていることによって、ケース１２に挿入
された表示装置１３が後戻りしてケース１２から外れてしまうことがないようになってい
る。電子部品１５は、ストッパ１４内部の空間に配置される。
【００１２】
実施例１によれば、電子部品１５をストッパ１４から離れた所に配置する場合と比べて、電子部品１５の取り付けスペースが不要になるので、電子機器１１の小型化を図ることができる。
【００１３】
（実施例２）
電子機器の一例として、例えば携帯電話機が挙げられる。実施例２では、携帯電話機は、特に限定しないが、例えば折りたたみ式の電話機であってもよい。
【００１４】
図２は、実施例にかかる電子機器を示す斜視図である。図２に示すように、折りたたみ式の携帯電話機では、例えば実施例１において電子機器１１としたものは、この電子機器１１としたものに重ね合わされる電話機本体２１にヒンジ部１６，２２によって開閉可能に取り付けられている。
【００１５】
電子部品１５は、例えば光を感知するセンサであってもよい。光を感知するセンサの一例として、例えば照度センサが挙げられる。電子機器１１において、ヒンジ部１６を挟んでヒンジ部１６の軸方向の一方側のストッパ１４の反対側にもストッパ１７が設けられていてもよい。ストッパ１７も、表示装置１３の縁とケース１２の縁との間にできた空間を埋めている。
【００１６】
ここで、例えば実施例１において表示装置１３としたものは、シャッターとして動作する液晶セル及び液晶セルに駆動電圧を印加する駆動回路を備えた液晶表示モジュールを含んでいる。ストッパ１４，１７は、液晶表示モジュールの縁とケース１２の縁との間にできた空間を埋めている。
【００１７】
ストッパ１７内部の空間にも電子部品１８が配置されていてもよい。電子部品１８の一例として、例えばマグネットが挙げられる。なお、電子部品１５，１８は、照度センサやマグネットに限らない。
【００１８】
携帯電話器が閉じられた状態のとき、すなわち電子機器１１と電話機本体２１とが重ね合わされた状態のとき、電話機本体２１の、電子部品１８のマグネットに相対峙する位置には、磁気センサ２３が配置されていてもよい。磁気センサ２３が、電子部品１８のマグネットから発生する磁力線を感知することによって、携帯電話機が自身の開閉状態を認識することができる。
【００１９】
なお、図１においては、液晶表示モジュールの表面を覆う化粧パネルが省略されている。液晶表示モジュールの周縁、ストッパ１４，１７及び電子部品１５，１８、は図示省略した化粧パネルによって覆われており、電子機器１１の正面からは見えないようになっている。
【００２０】
図３は、図１の切断線Ａ−Ａ’における要部断面図である。切断線Ａ−Ａ’を通る断面は、電子部品１５の照度センサを通る。図３に示すように、例えば正面ケース３１と背面ケース３２とが一体化されてできたケースの凹部に基板３３、電子部品１５の照度センサ、ストッパ１４及び液晶表示モジュール３４が収納されている。正面ケース３１は、化粧パネル３５によって塞がれている。
【００２１】
正面ケース３１と背面ケース３２との間は、例えば止水部材３６によって水密に保たれていてもよい。正面ケース３１と化粧パネル３５との間は、例えば止水部材３７によって水密に保たれていてもよい。
【００２２】
ストッパ１４は、正面ケース３１の底板部に例えば両面粘着テープや接着剤などで固定されていてもよい。ストッパ１４は、液晶表示モジュール３４の縁に接して、液晶表示モジュール３４が動かないように押さえている。ストッパ１４は、正面から見て例えば電子部品１５の照度センサの三側方に沿うような形状（図１及び図７参照）をしていてもよい。電子部品１５の照度センサは、ストッパ１４及び正面ケース３１の縁によって四方が囲まれる空間３８に配置されている。
【００２３】
なお、液晶表示モジュール３４の大きさと照度センサの位置関係によっては、必ずしもストッパ１４が照度センサの三側方に沿うような形状をしている必要はなく、照度センサへの液晶表示モジュール３４からの光の漏れ込みが防げるのであれば、液晶表示モジュール３４と照度センサとの間を塞ぐ一枚の板状であってもよい。
【００２４】
ストッパ１４は、遮光性を備えていてもよい。例えば、ストッパ１４は、光を通さないような色、例えば黒などの濃い色に着色されていてもよい。例えば、ストッパ１４は、光を通さないような色の樹脂などの材料でできていてもよい。そうすれば、液晶表示モジュール３４が光ったときの光が電子部品１５の照度センサに漏れ込むのを抑制することができる。
【００２５】
また、正面ケース３１の縁も、光を通さないような色に着色されていてもよいし、光を通さないような色の樹脂などの材料でできていてもよい。そうすれば、ストッパ１４及び正面ケース３１の縁によって四方が囲まれる空間３８に光が差し込むのをより一層抑制することができるので、光が電子部品１５の照度センサに漏れ込むのをより一層抑制することができる。
【００２６】
ストッパ１４及び正面ケース３１の縁によって四方が囲まれる空間３８は、後述する組み立て時に液晶表示モジュール３４をスライドさせることによって出現する。従って、この空間３８は、液晶表示モジュール３４をスライドさせて正面ケース３１に取り付けることができるだけの余裕を有する。また、この空間３８は、基板３３の例えば裏面に取り付けられた電子部品３９と、基板３３の例えばおもて面に取り付けられた液晶表示モジュール３４と、を電気的に接続する例えばフレキシブル基板４０を通す空間として利用されてもよい。
【００２７】
図４は、図１の切断線Ｂ−Ｂ’における要部断面図である。切断線Ｂ−Ｂ’を通る断面は、電子部品１８のマグネットを通る。図４に示すように、例えば電子部品１８のマグネット及びストッパ１７は、正面ケース３１と背面ケース３２とが一体化されてできたケースの凹部に収納されている。
【００２８】
ストッパ１７は、正面ケース３１の底板部に例えば両面粘着テープや接着剤などで固定されていてもよい。ストッパ１７は、液晶表示モジュール３４の縁に接して、液晶表示モジュール３４が動かないように押さえている。ストッパ１７は、正面から見て例えば電子部品１８のマグネットの三側方に沿うような形状（図１及び図７参照）をしていてもよい。
【００２９】
また、ストッパ１７は、電子部品１８のマグネットの下面に接する底部を有していてもよい。電子部品１８のマグネットは、ストッパ１７及び正面ケース３１の縁によって四方が囲まれる空間に配置されている。ストッパ１７は、電子部品１８のマグネットの取り付け位置を決めるために利用されてもよい。
【００３０】
なお、電子部品１８がマグネットの場合であれば、ストッパ１４が照度センサの三側方に沿うような形状をしている必要はなく、またストッパ１４が液晶表示モジュール３４とマグネットとの間に備えられる必要もない。液晶表示モジュール３４を挿入することでできる空間内であり、かつストッパが取付けられていない空間であれば、マグネットをどこに設置してもよい。
【００３１】
ストッパ１７及び正面ケース３１の縁によって四方が囲まれる空間の幅については、上述した空間３８の幅と同様に、液晶表示モジュール３４をスライドさせることができるだけの余裕、または例えばフレキシブル基板４０を通す空間として利用できるだけの余裕を有していてもよい。
【００３２】
図５〜図９は、実施例にかかる電子機器の組み立て途中の状態を順に示す斜視図である。電子機器１１の組み立て工程では、まず、図５に矢印で示すように、正面ケース３１に液晶表示モジュール３４を、正面ケース３１の正面側から押し当てる。その際、液晶表示モジュール３４をヒンジ部１６側に寄せる。
【００３３】
次いで、図６に矢印で示すように、正面ケース３１に押し当てた液晶表示モジュール３４をヒンジ部１６とは反対の向きへスライドさせる。正面ケース３１の、ヒンジ部１６とは反対の縁またはその近くには、縁から内向きに突出する図示しない抜け止め用の爪が設けられている。
【００３４】
液晶表示モジュール３４をスライドさせることによって、液晶表示モジュール３４の先端部が、正面ケース３１の抜け止め用の爪の下に差し込まれる。従って、上述した、ストッパ１４及び正面ケース３１の縁によって四方が囲まれる空間３８についての余裕とは、液晶表示モジュール３４の先端部が正面ケース３１の抜け止め用の爪を逃げることができるだけの余裕ということになる。
【００３５】
次いで、図７に示すように、液晶表示モジュール３４のスライドによって出現した、液晶表示モジュール３４と正面ケース３１との間の空間４１，４２にストッパ１４，１７を取り付ける。これによって、液晶表示モジュール３４が動かないように固定される。次いで、図８に示すように、ストッパ１７及び正面ケース３１の縁によって四方が囲まれる空間４３に電子部品１８のマグネットを取り付ける。
【００３６】
次いで、図９に示すように、正面ケース３１に基板３３を、正面ケース３１の裏面側から組み込む。そして、正面ケース３１に化粧パネル３５を図示省略した止水部材を挟んで、正面ケース３１のおもて面側から取り付ける。また、正面ケース３１に背面ケース３２を図示省略した止水部材を挟んで、正面ケース３１の裏面側から取り付ける。そして、電子機器１１の組立てが終了する。
【００３７】
実施例２によれば、実施例１と同様の効果が得られる。
【００３８】
なお、表示装置１３は液晶表示装置に限らない。また、ストッパ１４は、正面から見て例えば電子部品１５の照度センサの四側方に沿うような形状をしていてもよい。また、ストッパ１７は、正面から見て例えば電子部品１８のマグネットの四側方に沿うような形状をしていてもよいし、底部を有していなくてもよい。
【００３９】
さらに、電子機器は、携帯電話機に限らず、パーソナルコンピュータ等の電子計算機や、携帯型音声録音再生機や、携帯型のテレビ受像機等の電化製品や、ゲーム機等の玩具など、表示装置を有するものであれば、いかなるものであってもよい。
【符号の説明】
【００４０】
１１  電子機器
１２，３１  ケース
１３，３４  表示装置
１４，１７  ストッパ
１５，１８  電子部品
３８，４１，４２，４３  空間
【図１】
0005630347.tif 000002
【図２】
0005630347.tif 000003
【図３】
0005630347.tif 000004
【図４】
0005630347.tif 000005
【図５】
0005630347.tif 000006
【図６】
0005630347.tif 000007
【図７】
0005630347.tif 000008
【図８】
0005630347.tif 000009
【図９】
0005630347.tif 000010
【図１０】
0005630347.tif 000011